(57)【要約】【課題】声が通りにくい現場であっても、ピット上の作業員とカゴ内の作業員との間でカゴ移動量に対する認識に齟齬を生じることを防止でき、ピット上の作業員の安全に万全を期すことができる通信端末、及びエレベーターを提供すること。【解決手段】通信端末は、エレベーターのカゴの外部からカゴの内部へカゴ移動情報を伝達するのに用いられる。通信端末が、カゴに３０ｃｍ以下の所望距離かつ所望方向の短距離移動をさせることをカゴ内の報知部に報知させる信号をエレベーターの制御部に出力するための移動量伝達用操作部を含むようにする。【選択図】図３
2019189360.tif 000002
【特許請求の範囲】
【請求項１】
エレベーターのカゴの外部から前記カゴの内部へカゴ移動情報を伝達するのに用いられる通信端末であって、
前記カゴに３０ｃｍ以下の所望距離かつ所望方向の短距離移動をさせることを前記カゴ内の報知部に報知させる信号を前記エレベーターの制御部に出力するための移動量伝達用操作部を含む、通信端末。
【請求項２】
前記移動量伝達用操作部は、前記短距離移動を前記カゴにインターバルをおいて複数回繰り返して実行させることを前記報知部に報知させる信号を出力可能である、請求項１に記載の通信端末。
【請求項３】
前記移動量伝達用操作部は、前記短距離移動を前記カゴにインターバルをおいて無限回繰り返して実行させることを前記報知部に報知させる信号を出力可能であり、
前記カゴの前記短距離移動の繰り返し動作を解除する繰返動作解除操作部を備える、請求項２に記載の通信端末。
【請求項４】
前記カゴの移動を停止することを表す信号を、前記エレベーターの制御部に出力するためのカゴ停止命令用操作部を備える、請求項１乃至３のいずれか１つに記載の通信端末。
【請求項５】
前記報知部が前記カゴに前記短距離移動をさせることを報知しない限り、前記カゴ内での前記カゴの移動操作が不可能になるカゴ操作禁止操作部を備える、請求項１乃至４のいずれか１つに記載の通信端末。
【請求項６】
前記カゴでの移動操作を回復させるカゴ操作回復操作部を備える、請求項５に記載の通信端末。
【請求項７】
カゴと、
前記カゴ内に配置され、請求項１乃至６のいずれか１つに記載の通信端末からの信号に基づいて前記カゴに前記短距離移動をさせることを報知する報知部と、
を備える、エレベーター。
【請求項８】
前記報知部が、前記カゴ内において行先階を指定する行先階指定釦を含む、請求項７に記載のエレベーター。
【請求項９】
カゴと、
前記カゴ内に配置され、請求項４に記載の通信端末からの信号に基づいて前記カゴに前記短距離移動をさせることを報知する報知部と、
前記通信端末から前記カゴの移動を停止することを表す信号を受ける制御部と、
を備える、エレベーター。
【請求項１０】
前記報知部が報知した前記カゴの前記短距離移動を実行させる移動実行操作部を前記カゴ内に備える、請求項７乃至９のいずれか１つに記載のエレベーター。
【発明の詳細な説明】
【技術分野】
【０００１】
本発明は、エレベーターのカゴ外からカゴ内へカゴ移動情報を伝達するのに用いられる通信端末に関する。また、本発明は、通信端末が発信したカゴ移動情報を表す信号に基づいてカゴ移動情報を報知可能な報知部が設置されたカゴを有するエレベーターに関する。
【背景技術】
【０００２】
特許文献１に記載されているように、エレベーターは、安全な運行を確保するため、各機器の点検が定期的に実行される。この点検は、通常、カゴ底部に設置された部品等についても実行される。
【先行技術文献】
【特許文献】
【０００３】
【特許文献１】特開２０１４−１１４１１１号公報
【発明の概要】
【発明が解決しようとする課題】
【０００４】
カゴ底部の部品等のメンテナンスをピット上で行う場合において、カゴ底部の高さ位置を、作業を行い易い高さに微調整したい場合がある。このような場合、ピット上の作業員は、例えば、カゴ内の作業員に声でカゴの短距離運転を依頼し、ピット上の作業員とカゴ内の作業員とでカゴ移動量に関する意思の疎通を図る。しかし、現場によっては、騒音等で声が通りにくい場合がある。このような場合、仮に、ピット上の作業員とカゴ内の作業員との間でカゴ移動量に対する認識に齟齬を生じると、カゴが、ピット上の作業員が予期せぬ動作を行いかねず、そのような齟齬は、防がなければならない。
【０００５】
そこで、本発明の目的は、声が通りにくい現場であっても、ピット上の作業員とカゴ内の作業員との間でカゴ移動量に対する認識に齟齬を生じることを防止でき、ピット上の作業員の安全に万全を期すことができる通信端末、及びエレベーターを提供することにある。
【課題を解決するための手段】
【０００６】
上記課題を解決するため、本発明に係る通信端末は、エレベーターのカゴの外部から前記カゴの内部へカゴ移動情報を伝達するのに用いられる通信端末であって、前記カゴに３０ｃｍ以下の所望距離かつ所望方向の短距離移動をさせることを前記カゴ内の報知部に報知させる信号を前記エレベーターの制御部に出力するための移動量伝達用操作部を含む。
【０００７】
本発明によれば、通信端末を用いてカゴ外の人がカゴ内の人にカゴに所望距離の短距離移動をさせることを伝えることができる。したがって、例えば、ピット上の作業員が、カゴ下のメンテナンス、例えば、カゴ下にあるボルト締め等を行いたい場合等に、騒音が存在する環境下でも、例えば、数ｃｍカゴを降下させて欲しいことを、無線を用いて容易かつ確実にカゴ内の作業員に伝達できる。よって、ピット上の作業員とカゴ内の作業員との間でカゴ移動量の認識疎通に齟齬を生じることがなく、ピット上の作業員の安全に万全を期すことができる。
【０００８】
また、本発明において、前記移動量伝達用操作部は、前記短距離移動を前記カゴにインターバルをおいて複数回繰り返して実行させることを前記報知部に報知させる信号を出力可能でもよい。
【０００９】
カゴを一度に降下させるのではなく、短距離移動をインターバル（例えば、２〜５秒の間の時間のインターバル）をおいて複数回繰り返すことにより、安全を確保しながら、カゴを所望位置に停止させたいという要請がある。
【００１０】
上記構成によれば、報知部が、短距離移動をカゴにインターバルをおいて複数回繰り返す動作をさせる表示を実行できる。よって、短距離移動を、インターバルをおいて複数回繰り返すといったカゴの複雑な動作も、カゴ内の作業員に正確に伝達できる。その結果、カゴにそのような動作をさせることにより、ピット上の作業員の安全性を更に向上させることができる。
【００１１】
また、本発明において、前記移動量伝達用操作部は、前記短距離移動を前記カゴにインターバルをおいて無限回繰り返して実行させることを前記報知部に報知させる信号を出力可能であり、前記カゴの前記短距離移動の繰り返し動作を解除する繰返動作解除操作部を備えてもよい。
【００１２】
上記構成によれば、移動量伝達用操作部を用いることで、短距離移動をカゴにインターバルをおいて無限回繰り返して実行させることができ、カゴが所望の高さになったときに、繰返動作解除操作部を用いることで、カゴの移動を停止させることができる。よって、短時間で効率的にカゴの高さを調整できる。
【００１３】
また、本発明において、前記カゴの移動を停止することを表す信号を、前記エレベーターの制御部に出力するためのカゴ停止命令用操作部を備えてもよい。
【００１４】
本発明では、カゴ内の作業員が、ピット上の作業員が送信したカゴ移動情報を報知部による報知で認識した上で、伝達された移動量だけカゴを移動させることになる。よって、制御部が通信端末からの信号に基づいてカゴの移動制御を行う場合との比較で、カゴが移動するまでのステップが増え、その結果、カゴの予期せぬ移動を阻止し易く、安全性を格段に向上できる。しかし、カゴが何らかの問題で予期せぬ動作を行った状況を想定し、そのような場合でも、対処できるようにすることは、ピット上の作業員の安全のために大きな意義がある。
【００１５】
本構成によれば、いざという時に、通信端末が、カゴ移動の制御を掌る制御部にカゴを停止する信号を直接出力できる。したがって、いざという時にカゴを迅速に緊急停止させることができ、ピット上の作業員の安全を盤石なものにできる。
【００１６】
また、本発明において、前記報知部が前記カゴに前記短距離移動をさせることを報知しない限り、前記カゴ内での前記カゴの移動操作が不可能になるカゴ操作禁止操作部を備えてもよい。
【００１７】
上記構成によれば、報知部がカゴに短距離移動をさせることを報知しない限り、カゴ内でのカゴの移動操作が不可能になる。よって、安全を更に向上させることができる。
【００１８】
また、本発明において、前記カゴでの移動操作を回復させるカゴ操作回復操作部を備えてもよい。
【００１９】
上記構成によれば、ピット上の作業が終了した場合等に、カゴ内でのカゴ移動操作を容易かつ瞬時に回復させることができる。
【００２０】
また、本発明に係るエレベーターは、カゴと、前記カゴ内に配置され、本発明に係る通信端末からの信号に基づいて前記カゴに前記短距離移動をさせることを報知する報知部と、を備える。
【００２１】
本発明によれば、本発明の通信端末を用いてカゴに短距離移動させるエレベーターを実現できる。
【００２２】
また、本発明のエレベーターにおいて、前記報知部が、前記カゴ内において行先階を指定する行先階指定釦を含んでもよい。
【００２３】
行先階指定釦は、階を表す数字釦を有する。よって、この数字釦を使ってカゴの移動量を表すことができる。本構成によれば、カゴ内に設置された既存の行先階指定釦を用いて低コストで、分かり易くカゴ移動量を報知できる。
【００２４】
また、本発明に係るエレベーターは、カゴと、前記カゴ内に配置され、一実施形態に係る通信端末からの信号に基づいて前記カゴに前記短距離移動をさせることを報知する報知部と、前記通信端末から前記カゴの移動を停止することを表す信号を受ける制御部と、を備えてもよい。
【００２５】
上記構成によれば、制御部が緊急の場合に通信端末からカゴの停止を表す信号を受信することでカゴを緊急停止させることができる。
【００２６】
また、本発明に係るエレベーターは、前記報知部が報知した前記カゴの前記短距離移動を実行させる移動実行操作部を前記カゴ内に備えてもよい。
【００２７】
上記構成によれば、カゴ内の作業員がカゴ外の作業員が要求したカゴの短距離移動を容易に実現できる。
【発明の効果】
【００２８】
本発明に係る通信端末によれば、声が通りにくい現場であっても、ピット上の作業員とカゴ内の作業員との間でカゴ移動量に対する認識に齟齬を生じることを防止でき、ピット上の作業員の安全に万全を期すことができる。
【図面の簡単な説明】
【００２９】
【図１】本発明の一実施形態に係るエレベーターの概略構成図である。
【図２】通信端末の斜視図である。
【図３】手動操作部開閉板が取り外された状態の操作表示装置の斜視図である。
【図４】制御盤が、ピット上の作業員が所望したカゴの短距離移動を実行する際に実行する制御の一例のフローチャートである。
【発明を実施するための形態】
【００３０】
以下に、本発明に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。
【００３１】
図１は、本発明の一実施形態に係るエレベーター１の概略構成図である。図１に示すように、エレベーター１は、カゴ１１、巻上機１２、釣合錘１３、ワイヤーロープ１４、カゴ呼び釦１５、行先階指定釦１６、及び制御部としての制御盤１９を備える。制御盤１９及び巻上機１２は、昇降路２０上方にある機械室内に設けられる。なお、エレベーターが機械室を有さない場合、制御盤及び巻上機は、例えば昇降路下方にあるピット上に設けられる。ワイヤーロープ１４は、巻上機１２に巻回され、一端部がカゴ１１の上部に固定されるのに対して、他端部が釣合錘１３に固定される。カゴ呼び釦１５は、カゴ１１を呼ぶと共にカゴ１１の移動方向を指定する釦であり、全ての階の乗場２２に設けられる。また、行先階指定釦１６は、カゴ１１の行先階を指定するためにカゴ１１内に設けられる。カゴ１１及び釣合錘１３の夫々は、昇降路２０内に設けられたガイドレールでガイドされる。カゴ呼び釦１５及び行先階指定釦１６からの信号を受けた制御盤１９が巻上機１２のモータの回転数及び回転方向を適宜制御することで、カゴ１１が昇降路２０内を昇降する。
【００３２】
エレベーター１は、更に自手切替部（図１では図示せず）をカゴ１１内に備える。例えば、カゴ１１内に設置された行先階指定釦１６を含む行先階操作表示装置（以下、単に操作表示装置という）は、鍵を用いて取り外し自在な手動操作部開閉板を表側に有する。この手動操作部開閉板を取り外すと、カゴ１１の通常運行時に手動操作部開閉板の裏側に位置する手動操作部を外部に露出させることができる。自手切替部は、手動操作部の一部をなし、手動操作部に含まれる。自手切替部は、制御ケーブルを介して制御盤１９に接続され、作業員等は、自手切替部を介して制御盤１９に信号を出力できる。なお、行先階指定釦は、鉛直方向にスライド可能なスライドカバーに設置され、自手切替部は、エレベーターの通常運行時におけるスライドカバーの裏側に配置されてもよい。また、スライドカバーは、エレベーターの通常運行時における通常位置から鉛直方向にスライド可能になっており、スライドカバーをスライドさせると、自手切替部が外部に露出する構成でもよい。
【００３３】
自手切替部は、例えば、切り替えスイッチで構成される。作業員等は、自手切替部を用いて自動運転モードと手動操作モードを切り替え可能になっている。ここで、自動運転モードが選択されると、制御盤１９がカゴ呼び釦１５及び行先階指定釦１６の操作に基づいて巻上機１２等を制御することで、カゴ１１の自動運行が実行される。他方、手動操作モードが選択されると、カゴ呼び釦１５及び行先階指定釦１６での操作が無効になり、カゴ１１の昇降が手動操作に応じて行われる。
【００３４】
制御盤１９は、携帯用の通信端末３０からの無線信号を受信する図示しない受信部を含む。通信端末３０は、ピット上でカゴ１１の底部のメンテナンス等を行っている作業員２６等が、カゴ１１内の作業員２７等にカゴ１１の３０ｃｍ以下、２０ｃｍ以下、１５ｃｍ以下、又は１０ｃｍ以下の所望距離の短距離移動をさせる指示（要請）を行う場合に用いる。
【００３５】
図２は、通信端末３０の斜視図である。図２に示すように、通信端末３０は、「０」釦から「９」釦までの数字釦、「Ｕ」釦、「Ｄ」釦、「×」釦、開始釦３１、解除釦３２、訂正釦３３、カゴ停止釦３４、及び表示部３５を含む。表示部は、液晶ディスプレイ等で構成される。上記複数の釦は、移動量伝達用操作部の一例であり、通信端末３０の入力部を構成する。
【００３６】
図示しないが、通信端末３０は、制御部と、例えばアンテナで構成される送信部を、内部に有する。制御部は、上記複数の釦で入力された信号を受け、送信部を介して制御盤１９に信号を出力する。また、制御部は、上記複数の釦で入力された信号を受け、必要なときに表示部３５に信号を出力する。制御部は、例えば、マイクロコンピュータによって好適に構成される。制御部は、ＣＰＵ（Central Processing Unit）と、ＲＡＭ（Random Access Memory）、ＲＯＭ（Read Only Memory）等の記憶部とを備える。ＣＰＵは、記憶部に予め記憶されたプログラム等を読み出して実行する機能を有する。ＲＡＭは、読み出したプログラムや処理データを一時的に記憶する機能を有する。また、ＲＯＭは、制御プロラムや所定の閾値等を予め記憶する機能を有する。
【００３７】
通信端末３０は、エレベーター１のカゴ１１の外部からカゴ１１の内部へカゴ移動情報を伝達するのに用いられ、より詳しくは、カゴ１１に３０ｃｍ以下の所望距離の短距離移動をさせることをカゴ１１内の報知部に報知させる信号を制御盤１９に出力する。報知部の構成については、後で図３を用いて詳述する。次に、通信端末３０から発信される信号について説明する。先ず、開始釦３１は、ピット上の作業員２６が、カゴ１１の短距離移動を所望する際に押圧される。すると、カゴ１１を短距離移動させる短距離移動モードにすることを表す信号が、通信端末３０から制御盤１９に出力され、制御盤１９がカゴ１１内の操作部によるカゴ移動の操作を無効にする。開始釦３１は、カゴ操作禁止操作部を構成する。
【００３８】
次に、他の釦の用い方について説明する。例えば、ピット上の作業員２６が、カゴ１１を５ｃｍ降下させることを所望したとすると、この場合、作業員２６は、「５」釦、「Ｄ」釦をこの順に押圧する。すると、制御部が表示部３５に「５ｃｍ降下」との文言を表示させる。これにより、ユーザは、自分の入力が正しいか否かを判断できる。ユーザが、入力が正しいと判断し、開始釦３１を押圧すると、カゴ１１を５ｃｍ降下させることを表す信号が、通信端末３０から制御盤１９に出力される。他方、ユーザが、入力が間違っていると判断すると、訂正釦３３を押圧する。これにより、誤った入力が消去され、表示部３５による「５ｃｍ降下」の表示も消去される。なお、この例では、開始釦３１が、カゴ移動を表す信号の発信と、短距離移動モードにすることを表す信号の発信に用いられるが、カゴ移動を表す信号を発信する操作部を、開始釦３１とは別に設けてもよく、この場合、例えば、その操作部を、「発信」と記載された発信釦で構成してもよい。
【００３９】
また、作業員２６が、カゴ１１を３ｃｍ降下させることを、インターバルを挟んで無限回繰り返すことを所望したとする。この場合、作業員２６は、「３」釦、「×」釦、「Ｄ」釦をこの順に押圧する。すると、制御部が表示部３５に「３ｃｍ降下無限繰り返し」との文言を表示させる。これにより、ユーザは、自分の入力が正しいか否かを判断できる。ユーザが、入力が正しいと判断し、開始釦３１を押圧すると、カゴ１１を３ｃｍ降下させる動作を、インターバルを挟んで無限回繰り返すことを表す信号が、通信端末３０から制御盤１９に出力される。ユーザが、入力が間違っていると判断する場合の操作は、上で説明した操作と同様である。
【００４０】
インターバルの時間としては、例えば、２秒から１０秒までの時間を好適に採用できる。また、通信端末は、インターバルの時間を設定できてもよい。そして、例えば、ユーザが、カゴ１１を４ｃｍ降下させることを３秒のインターバルを挟んで無限回繰り返すことを入力する場合に、ユーザが、「４」釦、「×」釦、「Ｄ」釦、「３」釦を入力するようにしてもよく、表示部３５が「３秒インターバルで４ｃｍ降下無限繰り返し」と表示してもよい。
【００４１】
また、作業員２６が、カゴ１１を３ｃｍ降下させることを、インターバルを挟んで６回繰り返すことを所望したとする。この場合、作業員２６は、「３」釦、「×」釦、「６」釦、「Ｄ」釦をこの順に押圧する。すると、制御部が表示部３５に「３ｃｍ降下６回繰り返し」との文言を表示させる。ユーザが、入力が正しいと判断し、開始釦３１を押圧すると、カゴ１１を３ｃｍ降下させることを６回繰り返すことを表す信号が、通信端末３０から制御盤１９に出力される。
【００４２】
解除釦３２は、カゴ１１が所望の短距離移動を無限回繰り返す動作を行っているときでカゴ１１が所望の高さになったときに用いられる。解除釦３２が押圧されると、カゴ１１を停止させる信号が通信端末３０から制御盤１９に出力され、カゴ１１を停止させることができる。解除釦３２は、繰返動作解除操作部を構成する。
【００４３】
更には、解除釦３２は、カゴ操作回復操作部も兼用する。詳しくは、解除釦３２は、カゴ１１底部のメンテナンスが完了し、短距離移動モードを解除したい場合にも使用される。そのような場合に、解除釦３２が押圧されると、短距離移動モードを終了させることを表す信号が、通信端末３０から制御盤１９に出力され、短距離移動モードが終了し、制御盤１９がカゴ１１内の操作部によるカゴ移動の操作を復活させる。
【００４４】
カゴ停止釦３４は、カゴ１１を緊急停止させるために設けられる。カゴ停止釦３４は、は、カゴ停止命令用操作部を構成する。カゴ停止釦３４が押圧されると、カゴ１１を緊急停止させることを表す信号が、通信端末３０から制御盤１９に出力され、制御盤１９の制御によりカゴ１１が緊急停止する。カゴ停止釦３４は、カゴ１１が予期せぬ動作を行った場合等に、用いられる。
【００４５】
なお、カゴ停止釦３４の機能を、解除釦３２に兼用させてもよく、カゴ停止釦３４を省略してもよい。また、図２に示す操作部で移動内容を入力する場合について説明した。しかし、通信端末は、３０ｃｍ以下の所望距離かつ所望方向の短距離移動をさせることを入力できる操作部を有すればよく、各釦の名称、釦を押圧する順番、操作部のレイアウト等はどのようなものでもよい。また、操作部は、釦を有さなくてもよく、タッチパネル等で構成されてもよい。
【００４６】
次に、制御盤１９によるカゴ移動に関する上記操作表示装置の点灯制御について説明する。制御盤１９は、通信端末３０から上述のような信号を受け、受けた信号に基づいて上記操作表示装置を点灯制御する。図３は、手動操作部開閉板が取り外された状態の操作表示装置４０の斜視図である。図３を参照して、制御盤１９が、通信端末３０からカゴ１１を５ｃｍ上昇させることを表す信号を受けたとする。すると、制御盤１９が、報知部の一例としての操作表示装置４０における、行先階指定釦１６の「５」釦とカゴ１１の上昇を表す上三角釦４１を点灯制御する。これにより、カゴ１１内の作業員２７が、ピット上の作業員２６がカゴ１１の５ｃｍ上昇を望んでいることを認識できる。
【００４７】
また、制御盤１９が、通信端末３０からカゴ１１を２ｃｍ下降させることを、インターバルをおいて無限回繰り返すことを表す信号を受けたとする。すると、制御盤１９が、行先階指定釦１６の「２」釦と、カゴ扉に閉じ動作をさせるための扉閉動作操作部４３と、カゴ１１の下降を表す下三角釦４２を点灯制御させる。扉閉動作操作部４３は、その形状が「×」の形状に似ていることに起因して用いられる。これにより、カゴ１１内の作業員２７は、ピット上の作業員２６が、カゴ１１を２ｃｍ下降させることを、インターバルをおいて無限回繰り返すことを望んでいることを認識できる。
【００４８】
また、制御盤１９が、通信端末３０からカゴ１１を３ｃｍ下降させることを、インターバルをおいて４回繰り返すことを表す信号を受けたとする。すると、制御盤１９が、行先階指定釦１６の「３」釦を点滅制御すると共に、「４」釦、カゴ扉に閉じ動作をさせるための扉閉動作操作部４３、及びカゴ１１の下降を表す下三角釦４２を点灯制御する。扉閉動作操作部４３は、扉閉動作操作部４３の形状が「×」の形状に似ていることに起因して点灯制御される。この例では、点滅制御されている数字が、長さに関する値を示す。これにより、カゴ１１内の作業員２７は、ピット上の作業員２６が、カゴ１１を３ｃｍ下降させることを、インターバルをおいて４回繰り返すことを望んでいることを認識できる。
【００４９】
これらの各例において、カゴ１１内の作業員２７は、カゴ１１の短距離移動内容を確認した後、短距離移動内容が妥当な内容であると判断すると、カゴ１１を上に移動させる場合には、例えば手動操作部に含まれる「Ｕ」釦４５を押圧し、カゴ１１を下に移動させる場合には、例えば手動操作部に含まれる「Ｄ」釦４６を押圧する。この操作を行うと、操作表示装置４０が表示している動作を実行させることを表す信号が、操作表示装置４０から制御盤１９に出力される。すると、この信号を受けた制御盤１９は、カゴ１１の位置を検出するセンサ、例えば、巻上機１２のモータに設置されたエンコーダ、レゾルバ、又は磁気センサ等からの信号を受ける。制御盤１９は、該センサからの信号に基づいて巻上機１２のモータを制御し、カゴ１１を操作表示装置４０からの指示通りに移動させる。「Ｕ」釦４５及び「Ｄ」釦４６は、移動実行操作部の一例である。なお、カゴ１１内の作業員２７は、表示内容が、妥当でないと判断すると、例えば、カゴ１１内に設置された通話システムを用いてカゴ外の作業員に制御内容の確認を行う。これにより、ピット上の作業員２６の安全性が確実に担保される。なお、詳述しないが、図３において、「自」釦と「手」釦は、自動運転モードと手動操作ボードを切り替える釦であり、「Ｒ」釦は、ＲＵＮスイッチである。「Ｒ」釦は、カゴ１１を緊急停止させるために設けられる。
【００５０】
図４は、制御盤１９が、ピット上の作業員が所望したカゴ１１の短距離移動を実行する際に実行する制御の一例のフローチャートである。以下、図４を用いて、制御盤１９が短距離移動モードの際に実行する典型的な制御について説明する。
【００５１】
エレベーター１が手動操作モードになっている状態で、ピット上の作業員２６が通信端末３０の開始釦３１を操作し、制御盤１９が、カゴ操作部によるカゴ移動操作を通信端末３０からの信号がない限り無効にしたとする。このようにして、短距離移動モードが開始して、制御がスタートすると、ステップＳ１で、制御盤１９が通信端末３０からカゴ１１の短距離移動を表す信号を受けたか否かについて判定する。ステップＳ１で否定判定されると、ステップＳ１が繰り返される。他方、ステップＳ１で肯定判定されると、ステップＳ２に移行して、制御盤１９が、受けた信号が短距離移動を無限回繰り返すことを表す信号か否かについて判定する。
【００５２】
ステップＳ２で否定判定されると、ステップＳ３に移行して、制御盤１９が操作表示装置４０に通信端末３０が指示した内容の短距離移動を表示することを表す信号を出力し、ステップＳ４で、操作表示装置４０が、上で説明した方法で短距離移動を表す表示を行う。その後、ステップＳ５で、表示内容を確認したカゴ内の作業員２７が、制御内容が妥当であると判断すると、作業員２７が操作表示装置４０を操作し、操作表示装置４０から制御盤１９に表示内容の短距離移動を実行することを表す信号が出力される。次のステップＳ６では、制御盤１９が、その信号に基づいて表示内容のカゴ１１の短距離移動を実行すると共に、操作表示装置４０が表示を終了し、ステップＳ７に移行する。
【００５３】
ステップＳ７では、制御盤１９が、通信端末３０から、カゴ１１内に設置されたカゴ操作部によるカゴ移動操作の回復を表す信号を受けたか否かについて判定する。ステップＳ７で肯定判定されると、ステップＳ８に移行して、制御盤１９による制御で、カゴ操作部におけるカゴ移動操作が回復し、制御がエンドとなる。他方、ステップＳ７で否定判定されると、ステップＳ１以下が繰り返される。
【００５４】
一方、ステップＳ２で肯定判定されると、ステップＳ９に移行して、制御盤１９が、短距離移動のインターバルを挟んだ無限回の繰り返しを表示する信号を操作表示装置４０に出力する。その後のステップＳ１０では、操作表示装置４０による短距離移動の無限繰り返しを表す表示が実行される。続いて、ステップＳ１１では、表示内容を確認したカゴ内の作業員２７が、制御内容が妥当であると判断すると、作業員２７が操作表示装置４０を操作し、操作表示装置４０が制御盤１９にカゴ１１の短距離移動の無限繰り返しを実行する信号を出力する。
【００５５】
続く、ステップＳ１２では、制御盤１９が、その信号に基づいてカゴ１１の短距離移動の無限繰り返しを実行する。次のステップＳ１３では、制御盤１９が、通信端末３０から短距離移動の無限繰り返しを停止する信号を受けたか否かを判定する。ステップＳ１３で否定判定されると、ステップＳ１２以下が繰り返され、ステップＳ１３で肯定判定されると、ステップＳ１４に移行する。ステップＳ１４では、制御盤１９が、カゴ１１移動の停止を実行すると共に、操作表示装置４０による無限繰り返しを表す表示を終了させる。ステップＳ１４が完了すると、ステップＳ７が実行される。
【００５６】
以上、通信端末３０は、エレベーター１のカゴ１１の外部からカゴ１１の内部へカゴ移動情報を伝達するのに用いられる。また、通信端末３０は、カゴ１１に３０ｃｍ以下の所望距離かつ所望方向の短距離移動をさせることをカゴ１１内の報知部に報知させる信号を制御盤１９に出力するための複数の釦（移動量伝達用操作部）３１〜３４を含む。
【００５７】
したがって、通信端末３０を用いてピット上の作業員２６がカゴ１１内の作業員２７にカゴ１１に所望距離の短距離移動をさせることを伝えることができる。よって、例えば、ピット上の作業員２６が、カゴ１１下のメンテナンス、例えば、カゴ１１下にあるボルト締め等を行いたい場合等に、騒音が存在する環境下でも、例えば、数ｃｍカゴ１１を降下させて欲しいことを、無線を用いて容易かつ確実にカゴ内の作業員２７に伝達できる。よって、ピット上の作業員２６とカゴ内の作業員２７との間でカゴ移動量の認識疎通に齟齬を生じることがなく、ピット上の作業員２６の安全に万全を期すことができる。
【００５８】
また、移動量伝達用操作部は、短距離移動をカゴにインターバルをおいて複数回繰り返して実行させることを操作表示装置４０に報知させる信号を出力可能でもよい。
【００５９】
カゴ１１を一度に降下させるのではなく、短距離移動をインターバル（例えば、２〜５秒の間の時間のインターバル）をおいて複数回繰り返すことにより、安全を確保しながら、カゴを所望位置に停止させたいという要請がある。
【００６０】
本構成によれば、操作表示装置４０が、短距離移動をカゴ１１にインターバルをおいて複数回繰り返す動作をさせる表示を実行できる。よって、短距離移動を、インターバルをおいて複数回繰り返すといったカゴ１１の複雑な動作も、カゴ１１内の作業員に正確に伝達できる。その結果、カゴ１１にそのような動作をさせることで、ピット上の作業員２６の安全性を更に向上させることができる。
【００６１】
また、移動量伝達用操作部は、短距離移動をカゴ１１にインターバルをおいて無限回繰り返して実行させることを操作表示装置４０に報知させる信号を出力可能でもよい。また、通信端末３０は、カゴ１１の短距離移動の繰り返し動作を解除する解除釦３２を備えてもよい。
【００６２】
本構成によれば、移動量伝達用操作部を用いることで、短距離移動をカゴ１１にインターバルをおいて無限回繰り返して実行させることができる。また、カゴ１１が所望の高さになったときに、解除釦３２を用いることで、カゴの移動を停止させることができる。よって、短時間で効率的にカゴ１１の高さを調整できる。
【００６３】
また、通信端末３０は、カゴ１１の移動を停止することを表す信号を、制御盤１９に出力するためのカゴ停止釦３４を備えてもよい。
【００６４】
本発明では、カゴ１１内の作業員２７が、ピット上の作業員２６が送信したカゴ移動情報を操作表示装置４０による報知で認識した上で、報知内容が妥当な場合のみ、伝達された移動量だけカゴ１１を移動させることになる。よって、制御盤が通信端末からの信号に基づいてカゴの移動制御を行う場合との比較で、カゴ１１が移動するまでのステップが増え、その結果、カゴ１１の予期せぬ移動を阻止し易く、安全性を格段に向上できる。しかし、カゴ１１が何らかの問題で予期せぬ動作を行った状況を想定し、そのような場合でも、対処できるようにすることは、ピット上の作業員２６の安全のために大きな意義がある。本構成によれば、いざという時に、通信端末３０が、カゴ移動の制御を掌る制御盤１９にカゴ１１を停止する信号を直接出力できる。したがって、いざという時にカゴを迅速に緊急停止させることができ、ピット上の作業員２６の安全を盤石なものにできる。
【００６５】
また、通信端末３０が、操作表示装置４０がカゴ１１に短距離移動をさせることを報知しない限りカゴ１１内でのカゴ１１の移動操作が不可能になる開始釦３１を備えてもよい。
【００６６】
本構成によれば、操作表示装置４０がカゴ１１に短距離移動をさせることを報知しない限り、カゴ１１内でのカゴ１１の移動操作が不可能になる。よって、安全を更に向上させることができる。
【００６７】
また、通信端末３０が、カゴ１１での移動操作を回復させる解除釦３２を備えてもよい。
【００６８】
本構成によれば、例えば、ピット上の作業が終了した場合に、カゴ１１内でのカゴ移動操作を容易かつ瞬時に回復させることができる。
【００６９】
また、エレベーター１は、カゴ１１と、カゴ１１内に配置され、通信端末３０からの信号に基づいてカゴ１１に短距離移動をさせることを報知する操作表示装置４０と、を備えてもよい。
【００７０】
本構成によれば、通信端末３０を用いてカゴ１１に短距離移動させるエレベーター１を実現できる。
【００７１】
また、報知部は、カゴ１１内において行先階を指定する行先階指定釦１６を含んでもよい。
【００７２】
行先階指定釦１６は、階を表す数字釦を有する。よって、この数字釦を使ってカゴ１１の移動量を表すことができる。本構成によれば、カゴ１１内に設置された既存の行先階指定釦１６を用いて低コストで、分かり易くカゴ移動量を報知できる。
【００７３】
また、エレベーター１は、通信端末３０からカゴ１１の移動を停止することを表す信号を受ける制御盤１９を備えてもよい。
【００７４】
本構成によれば、緊急の場合に、制御盤１９が通信端末３０からカゴ１１の停止を表す信号を受信することでカゴ１１を緊急停止できる。
【００７５】
また、操作表示装置４０が報知したカゴ１１の短距離移動を実行させる移動実行操作部をカゴ１１内に備えてもよい。
【００７６】
本構成によれば、カゴ１１内の作業員２７がカゴ１１外の作業員２６が要求したカゴの短距離移動を容易に実現できる。
【００７７】
なお、本発明は、上記実施形態およびその変形例に限定されるものではなく、本願の特許請求の範囲に記載された事項およびその均等な範囲において種々の改良や変更が可能である。
【００７８】
例えば、報知部が、操作表示装置４０で構成され、カゴ１１内において行先階を指定する行先階指定釦１６を含む場合について説明した。しかし、報知部は、行先階指定釦を含まなくてもよく、例えば、カゴ内に設置された操作表示装置以外の装置、例えば、スピーカー、ディスプレイ、及びインジケータのうちの少なくとも１以上で構成されてもよい。
【００７９】
また、通信端末３０からの信号が、カゴ１１外に設置された制御盤１９を介して報知部に出力される場合について説明した。しかし、カゴが、通信端末からの信号を受信する受信部を有し、エレベーターが、カゴの短距離移動を報知部に報知させる制御を行うと共に当該受信部から信号を受ける制御部をカゴ内に有してもよい。そして、その制御部が、カゴ外にある制御盤を経由せずに、通信端末から受信部を介して直接信号を受けて、その信号に基づいて報知部に報知制御を行ってもよい。
【００８０】
また、上記実施形態とは異なり、移動量伝達用操作部は、短距離移動をカゴにインターバルをおいて無限回繰り返して実行させることを報知部に報知させる信号を出力できなくてもよく、通信端末が、カゴの短距離移動の繰り返し動作を解除する繰返動作解除操作部を備えなくてもよい。
【００８１】
また、移動量伝達用操作部は、短距離移動をカゴにインターバルをおいて複数回繰り返して実行させることを報知部に報知させる信号を出力できなくてもよい。また、通信端末は、カゴの移動を停止することを表す信号を、エレベーターの制御盤に出力するためのカゴ停止命令用操作部を備えなくてもよい。
【００８２】
また、通信端末は、報知部がカゴに短距離移動をさせることを報知しない限り、カゴ内でのカゴの移動操作が不可能になるカゴ操作禁止操作部を備えなくてもよく、通信端末は、カゴでの移動操作を回復させるカゴ操作回復操作部を備えなくてもよい。
【００８３】
また、エレベーターは、通信端末からカゴの移動を停止することを表す信号を受ける制御盤を備えなくてもよく、更には、報知部が報知したカゴの短距離移動を実行させる移動実行操作部をカゴ内に備えなくてもよい。
【符号の説明】
【００８４】
１  エレベーター、  １１  カゴ、  １６  行先階指定釦、  ３０  通信端末、  ３１  開始釦、  ３２  解除釦、  ３４  カゴ停止釦、  ４０  操作表示装置、  ４５  Ｕ釦、  ４６  Ｄ釦。
【図１】
2019189360.tif 000003
【図２】
2019189360.tif 000004
【図３】
2019189360.tif 000005
【図４】
2019189360.tif 000006